(57)【要約】本発明は、ａ）成形体を製造するための塊状物、ｂ）金属粉末、金属合金粉末、金属効果を有する顔料粉末又は層状構造を有する粉末、及びｃ）必要に応じてその他の添加剤を含む一式のパーツキットに関する。本発明の材料は、光学的システムにより優れた走査が可能な成形体、特に歯科の範囲の成形体の製造に使用することができる。【特許請求の範囲】
【請求項１】
ａ）成形体を製造するための塊状物、
ｂ）金属粉末、金属合金粉末、金属効果を有する顔料粉末又は層状構造を有する粉末、及び
ｃ）必要に応じてその他の添加剤
を含むパーツキット。
【請求項２】
成分ａ）及びｂ）が混合物として存在することを特徴とする請求項１記載のパーツキット。
【請求項３】
前記塊状物が硬化可能な塊状物であることを特徴とする前記請求項のいずれか１項に記載のパーツキット。
【請求項４】
前記塊状物が、歯科用成形体を製造するための塊状物であることを特徴とする前記請求項のいずれか１項に記載のパーツキット。
【請求項５】
前記塊状物が、石膏、注型用樹脂、セメント、メタクリル酸エステル系、ワックス、熱可塑性樹脂、セラミック混合物、縮合架橋又は付加架橋するシリコーン、ポリエーテル、ポリスルフィド、アルギン酸塩又はヒドロコロイド又はこれらの混合物であることを特徴とする前記請求項のいずれか１項に記載のパーツキット。
【請求項６】
前記注型用樹脂が、エポキシ樹脂又はポリウレタン樹脂であることを特徴とする前記請求項のいずれか１項に記載のパーツキット。
【請求項７】
前記セメントが、歯科用ケイ酸塩セメント又はグラスアイオノマーセメントであることを特徴とする前記請求項のいずれか１項に記載のパーツキット。
【請求項８】
前記メタクリル酸エステル系が、フィラーなし又はフィラー入りの系であることを特徴とする前記請求項のいずれか１項に記載のパーツキット。
【請求項９】
前記塊状物が歯科用の充填用コンポジット、又は暫間被覆冠材料又は暫間架工材料であることを特徴とする前記請求項のいずれか１項に記載のパーツキット。
【請求項１０】
前記金属粉末が、金、銀、白金、パラジウム、銅、スズ、亜鉛、チタン、アルミニウム、マグネシウムを含むことを特徴とする前記請求項のいずれか１項に記載のパーツキット。
【請求項１１】
前記金属合金粉末が、黄銅又は青銅と同様に、金、銀、白金、パラジウム、銅、スズ、亜鉛、チタン、アルミニウム、マグネシウムの合金を含むことを特徴とする前記請求項のいずれか１項に記載のパーツキット。
【請求項１２】
金属効果を有する前記顔料が、被覆した又は被覆無しの雲母の顔料であることを特徴とする前記請求項のいずれか１項に記載のパーツキット。
【請求項１３】
層状構造を有する前記粉末が、層状構造の物質、例えばグラファイト又は硫化モリブデンであることを特徴とする前記請求項のいずれか１項に記載のパーツキット。
【請求項１４】
前記成分ａ）及びｂ）が９９．８：０．２質量％〜６０：４０質量％の比率で存在していることを特徴とする前記請求項のいずれか１項に記載のパーツキット。
【請求項１５】
前記成分ａ）及びｂ）が９９：１質量％〜９０：１０質量％の比率で存在することを特徴とする前記請求項のいずれか１項に記載のパーツキット。
【請求項１６】
前記金属粉末、金属合金の前記粉末又は金属効果を有する顔料の前記粉末が、薄層構造を５０質量％より多く、好ましくは７０質量％より多く、特に好ましくは９０質量％より多く有することを特徴とする前記請求項のいずれか１項に記載のパーツキット。
【請求項１７】
前記金属粉末、金属合金の前記粉末又は金属効果を有する顔料の前記粉末の平均粒径が、１００μｍまで、好ましくは２０μｍまで、特に好ましくは５μｍまでであることを特徴とする前記請求項のいずれか１項に記載のパーツキット。
【請求項１８】
前記請求項のいずれか１項に記載のパーツキットを使用して製造可能な成形体。
【請求項１９】
成分ａ）とｂ）及び必要に応じてｃ）とを混合し、その混合物を成形することを特徴とする成形体を製造する方法。
【請求項２０】
前記混合物を１つの型に鋳込んで成形することを特徴とする請求項１９項記載の方法。
【請求項２１】
成形体を製造するための、前記請求項１〜１７のいずれか１項に記載のパーツキットの使用。
【請求項２２】
形態学的及び幾何学的にＣＡＤ／ＣＡＭの応用に適した方法で光学的に記録可能な成形体を製造するための、前記請求項１〜１７のいずれか１項に記載のパーツキットの使用。
【請求項２３】
歯科の範囲で成形体を製造するための、前記請求項１〜１７のいずれか１項に記載のパーツキットの使用。
【発明の詳細な説明】
【０００１】
本発明は、
ａ）成形体を製造するための塊状物、
ｂ）金属粉末、金属合金粉末、金属効果を有する顔料粉末又は層状構造を有する粉末、及び
ｃ）必要に応じて通常の添加剤
を含むパーツキット（Ｋｉｔ ｏｆ Ｐａｒｔｓ）に関する。
【０００２】
本パーツキットは、成形体の形態学的及び幾何学的形状を光学的に記録し、続いてＣＡＤ／ＣＡＭ−システム（コンピューターによる設計／生産システム）によりこれを複製するのに適している。本発明は特に印象用のモデルや塊状物を製造するためのパーツキット、特に歯科及び医学の分野におけるこの目的のパーツキットに関する。
【０００３】
成形体の形態学的及び幾何学的形状を光学的に記録し、続いてＣＡＤ／ＣＡＭ−システムによりこれを複製すること自体は公知である。しかし写真による記録（例えば赤外線又は可視光線の利用）の場合のみならず、光学的走査（例えばレーザー光線の使用）の場合にも、（従来の）塊状物の光学的状態は、形態学的細部の全てを正確に複製するための十分な情報を得るには満足できるものではない。特に縁部や都合の悪い角度の位置それ自体の記録が困難である。
【０００４】
例えば歯科の範囲で広く調製される焼き石膏の印象の表面は一般に読み取り難く、読み取れても不完全である。そのような焼き石膏の読み取りを改善する試みは無いことは無い。例えばドイツ特許公報　１９５　４８　６５５号には、モデル石膏の着色顔料の量を増やして、その反射特性を改善する方法が記載されているが、この方法はＣＡＤ／ＣＡＭ−システムによるモデルの実際の光学的複製に対しては十分な改善効果が得られなかった。
【０００５】
成形体を形態学的及び幾何学的に正確に複製するための明らかな進歩が、光学的に記録しようとする表面に顔料粉末を直接塗布する方法により達成された（Ｃｅｒｅｃ液／Ｃｅｒｅｃ粉末、ＶＩＴＡ又はＰｒｏＣＡＤ接着媒体／ＰｒｏＣＡＤコントラスト粉末、Ｉｖｏｃｌａｒ）。この方法では先ず前記表面に接着剤を塗布し、その上に１種の白色の粉末を細かく分布する。こうすればこの表面を写真システムによっても、又レーザーシステムによっても表面を十分に覆って、入射角に殆ど無関係に記録することができる。しかしこの方法の欠点は、接着剤／粉末自体が空間的に付け加わるための歪み並びに層厚の不均一による歪み（雪の吹き溜まりの状態）であり、更に準備に少なからぬ時間が掛かることである。
【０００６】
従って本発明の課題は成形体及び／又は成形体を製造する手段を提供し、それにより成形体を正確に記録又は走査して、その後のＣＡＤ／ＣＡＭ−システムによるその複製を可能にすることである。
【０００７】
本発明の課題は、
ａ）成形体を製造するための塊状物、
ｂ）金属粉末、金属合金粉末、金属効果を有する顔料粉末又は層状構造を有する粉末、及び
ｃ）必要に応じてその他の添加剤を含む
材料パーツキットにより解決された。
【０００８】
前記パーツキットにより製造された成形体は、これをそれ自体は通常の光学的システムにより写真として記録し及び／又は光学的に走査して、ＣＡＤ／ＣＡＭ−システムにより複製することができる。
【０００９】
特に本発明の材料パーツキットは、成分ａ）及びｂ）が混合物として存在していることを特徴とすることができる。
【００１０】
希望に応じて複写しようとする成形体の原料となるべき、特に硬化性の本発明の塊状物の化学的性質は、使用目的に準じて様々に変えることができる。原料塊状物としては、原理的には規定された形状の成形体を形成できる物質が適している。
【００１１】
特に歯科用の成形体の製造に適した塊状物が好ましい。そのような塊状物ａ）としては、前記パーツキットの中で成分としてａ１）．．．ａｎ）、特に成分としてａ１）とａ２）とが存在し、成形体の製造の際にこれが集合して相互に反応するのが好ましい。その際これが例えば重合、重付加又は重縮合するシステムであってもよい。
【００１２】
光学的記録又は走査のための硬い成形体、特に歯科用モデルの製造の際には、本発明の塊状物の基材として一般に使用される材料が用いられる。例えば石膏、特に硬石膏、注型用樹脂、例えばエポキシ樹脂又はポリウレタン類である。セメント類、例えば歯科用ケイ酸塩セメント類又はグラスアイオノマーセメント類、フィラーなし又はフィラー入りのメタクリル酸エステル系、例えば歯科用充填コンポジット又は暫間被覆冠材料又は架工材料、セラミック混合物、硬質ワックス又は可塑性樹脂が本発明の塊状物の基材として使用できる。
【００１３】
弾性のある成形体の製造には例えば出発基材として一般に用いられる材料が挙げられ、（その際）考慮の対象になるのは軟弾性又は硬弾性の印象用材料である。その種の例としては、例えば歯科の範囲に適用されるような、縮合架橋型又は付加架橋型のシリコーン類、ポリエーテル類、ポリスルフィド類、アルギン酸塩又はヒドロコロイド類である。
【００１４】
前述の出発材料を本発明の製品に変換するには、金属粉末及び／又は金属合金の粉末及び／又は金属効果を有する顔料及び／又は層状構造を有する粉末を出発材料に加える。この添加が緻密に均質に行なわれれば、特に優れた結果が得られる。
【００１５】
それぞれの塊状物の基材に化学的に適合する金属及び金属合金の粉末ならばそれは全て適している。例えば金、銀、白金、パラジウム、銅、チタンや、例えば青銅及び黄銅のような合金が挙げられる。その小さい比重（場合によっては優れた沈降性、好ましい価格）のためにアルミニウム、マグネシウム及びその合金が特に適している。ここで重要なことは、これらの金属が十分細かい粒径を有し、光の反射に適した粒形（例えば扁平な形、小板状）を備えていることである。これらの粉末はその表面が被覆してある形状もまた有利であり得る。
【００１６】
金属効果を有する適した顔料とは、それ自体は金属ではないが１つの混合物に添加した時に金属に似た外観を示す顔料のことで、この種の顔料は例えば被覆した又は被覆無しの雲母の顔料のように、例えば光を反射する層状構造を有する。
【００１７】
層状構造を有する適した粉末は例えばグラファイト又は硫化モリブデンの粉末である。
【００１８】
これらの粉末の好ましい平均粒径は１００μｍより小さく、特に好ましい平均粒径は２０μｍより小さく、更に特に好ましい平均粒径は５μｍより小さい。
【００１９】
前記金属粉末、金属合金の粉末、金属効果を有する顔料又は層状構造を有する粉末の特に好ましい形状は薄片状である。
【００２０】
前記金属粉末、１種の金属合金の前記粉末、金属効果を有する１種の顔料の前記粉末又は層状構造を有する粉末は、薄片状の構造を例えば５０質量％より多く、好ましくは７０質量％より多く、特に好ましくは９０質量％より多く有することができる。
【００２１】
本発明によれば、前記成分ａ）及びｂ）は９９．８：０．２質量％〜６０：４０質量％の比率、好ましくは９８：２質量％〜９０：１０質量％の比率で存在することができる。
【００２２】
金属粉末又は金属効果を有する顔料又は層状構造を有する粉末を上述の出発材料に加えて、これを本発明の前記塊状物に変換すれば、成形体を作成することができ、この成形体は１つの写真的及び／又は光学的に不利な角度の位置の場合でもこれを優れた状態に記録又は走査することが可能であり、表面用粉末による表面処理を追加する必要はなくなる。こうして測定された情報は、基材を切削する倣いフライス加工及び研削加工に基づいた１つのＣＡＤ／ＣＡＭ−システムを用いて１つの成形体を複製するためには充分な精度を有する。
【００２３】
その際複製としては、光学的に測定した成形体の１：１の寸法の複製のみならず、これには媒体データ変換により縮小、拡大、反転（陰型を陽型になど）した成形体の複製も含まれる。こうして製造される複製の数には限りが無い。
【００２４】
前記成分ｃ）には例えば通常の充填剤、通常の顔料又は染料、安定剤、チキソトロピー性、乳化性、懸濁性又は沈降防止性の添加剤を含めてもよい。特に前記塊状物の粘度が非常に低い場合には沈降を防止する添加剤の使用は有効である。
【００２５】
更に本発明の成形体は、パーツキットのいずれかを使用して製造可能のように用意されている。１つの成形体の製造には成分ａ）及びｂ）、場合によってはｃ）を互いに混合し、混合物を成形する。その際混合物を例えば１つの型に鋳込んで成形してもよい。
【００２６】
このように本発明のパーツキットは成形体の製造、特に歯科の範囲の成形体の製造、特に歯の製造準備の際の複製に使用される。
【００２７】
次の幾つかの例により本発明を説明する。
【００２８】
比較例１
ドイツのＳｉｒｏｎａ社のＣＥＲＥＣ３型の機械を用いた、直接歯医者の椅子の上で（ｃｈａｉｒ ｓｉｄｅ）時間を掛けずに実施可能なインレーの製造のために、ＭＯＤ−窩洞製造準備付きの大臼歯を含む下顎の１つのアルギン酸塩陰型を作る。このアルギン酸塩陰型に１つのベージュ色の付加架橋型のモデルシリコーン（ＵＳＡのＲｏｙｄｅｎｔ社の商品名“Ｃｈａｉｒｓｉｄｅ Ｉｎ Ａ Ｍｉｎｕｔｅ，Ｗａｓｈ Ｍａｔｅｒｉａｌ”）を鋳込み、硬化後ＣＥＲＥＣ３型により走査して前記窩洞を測定する。
【００２９】
「該表面の光学的性質は不充分である」と報告されている。
【００３０】
この硬質シリコーン製モデルは、コンポジット充填材料による直接法の１つのインレー、即ち１つのコンポジットレジンインレーを作るのには適しているが、前記窩洞を走査し、ＣＡＤ／ＣＡＭ−システムＣＥＲＥＣ３型を用いて適合するインレーを歯科用セラミックブロックからフライスで削り出すのには不適当である。
【００３１】
比較例２
比較例１を繰り返し、但し今回はアルギン酸塩陰型の窩洞に鋳込む前に前記モデルシリコーンに２．０％の二酸化チタン顔料を加えて混合する。そのＣＥＲＥＣ３型の走査により得られた線図は改善されてはいるが、しかし未だに不連続個所が多すぎてインレーの製造には使用できない。
【００３２】
実施例１（本発明による）
比較例１を繰り返し、但し今回はアルギン酸塩陰型の窩洞に鋳込む前に前記モデルシリコーンに２．０％のアルミニウム−粉末−顔料を加えて混合する。この顔料の粒径は約１０μｍで、薄層状の構造を有する。予め比較例１及び２に準じて測定する。そのＣＥＲＥＣ３型の走査により得られた線図は非常に良好で不連続個所が殆ど無く、あっても非常に小さく、図形もまた非常に良好で、縁部に僅かの行き過ぎが見られるだけで、急傾斜の側面の両側にある長めの窩洞も非常に良好である。これをＣＥＲＥＣ３型により正確に走査して、正確に適合する１つのインレーをフライス加工することができる。
【００３３】
実施例２（本発明による）
比較例１を再度繰り返す。今回はアルギン酸塩陰型の窩洞に鋳込む前に付加架橋型のモデルシリコーンに５．０％の銅−亜鉛−合金−粉末を加えて混合する。この顔料粒子の大きさは約８μである。予め比較例１及び２に準じて測定する。そのＣＥＲＥＣ３型の走査により得られた線図は非常に良好で、図形は明らかに改善されている。
【００３４】
実施例２ａ（本発明による）
比較例１を再度繰り返す。今回はアルギン酸塩陰型の窩洞に鋳込む前に付加架橋型のモデルシリコーンに１．５％のグラファイト粉末を加えて混合する。予め前記の例に準じて測定する。そのＣＥＲＥＣ３型の走査により得られた線図は非常に良好で、図形には殆ど欠点が無く、急傾斜の穴の側面は多くの点により表示されている。
【００３５】
比較例３
ＣＥＲＥＣ３による光学的複製を１つのポリエチレン陰型（材料はドイツ、ＥＳＰＥ社の製品Ｉｍｐｒｅｇｕｍ Ｆ）から作ろうと試みたが、とにかく再現されたのが表面の約５％だけであることを別とすれば、この僅かの表面には壁の一部があるだけで、表面は見られない。この材料は光学的走査には適していない。
【００３６】
実施例３（本発明による）
混合の際に前記Ｉｍｐｒｅｇｕｍ Ｆに実施例３のアルミニウム粉末３．０％を加える。全く僅かの不連続個所しかない非常に良好な線図が得られ、図形も良好で、全ての平面が良く表現されている。
【００３７】
比較例４
１つのアルギン酸塩陰型（Ａｌｇｉｎｍａｘ）の構造的部分をＣＥＲＥＣ３型により測定しようと試みるが、計器は、光学的性質が不充分で測定できないと報じている。
【００３８】
実施例４（本発明による）
同じアルギン酸塩に、今回は粗目のアルミニウム粉末（粒径２５μｍ）５．０％を加え、再度部品を成形し、光学的に測定する。今回は欠点が僅か約２％しかない線図が得られ、図形も良好である。アルギン酸塩の場合にも金属粉末の添加によりその光学的性質が著しく改善される。
【００３９】
比較例５
１つの白色のモデル石膏（商品名Ｇｉｌｓｔｏｎｅ）からモデルを加工し、光学的に測定する。得られた線図には多くの欠点個所があり、データは評価には不適である。
【００４０】
実施例５（本発明による）
比較例５に対して、今回はＧｉｌｓｔｏｎｅ石膏に２．５％のアルミニウム粉末（粒径２５μｍ）を加えて混合し、これに水を混ぜた石膏から所望のモデルが得られた。線図には実質的に欠点が見られず、図形も非常に良好である。アルミニウム粉末を僅か１％加えた繰返し試験においても殆ど同様な好結果が得られる。
【００４１】
実施例６（本発明による）
実施例５において今回はギルストーン石膏に５．０％の二酸化チタンを被覆した雲母（粒径１５μｍ未満）を加えて混合した。線図には実施例５よりも幾らか多くの不連続個所が見られるが、図形は良好である。
【国際公開パンフレット】
2004505674.tif 000002
2004505674.tif 000003
2004505674.tif 000004
2004505674.tif 000005
2004505674.tif 000006
2004505674.tif 000007
2004505674.tif 000008
2004505674.tif 000009
2004505674.tif 000010
2004505674.tif 000011
2004505674.tif 000012
2004505674.tif 000013
2004505674.tif 000014
2004505674.tif 000015
2004505674.tif 000016
2004505674.tif 000017
【国際公開パンフレット（コレクトバージョン）】
2004505674.tif 000018
【手続補正書】
【提出日】平成14年8月22日(2002.8.22)
【手続補正１】
【補正対象書類名】明細書
【補正対象項目名】特許請求の範囲
【補正方法】変更
【補正の内容】
【特許請求の範囲】
【請求項１】
ａ）歯科又は医学の範囲でモデルとして使用される成形体を製造するための塊状物、
ｂ）金属粉末、金属合金粉末、金属効果を有する顔料粉末又は層状構造を有する粉末、及び
ｃ）必要に応じてその他の添加剤
を含むパーツキットであり、前記成形体の形態学的及び幾何学的形状がＣＡＤ／ＣＡＭの応用に適するように光学的に記録されることを特徴とするパーツキット。
【請求項２】
成分ａ）及びｂ）が混合物として存在することを特徴とする請求項１記載のパーツキット。
【請求項３】
前記塊状物が硬化可能な塊状物であることを特徴とする前記請求項のいずれか１項に記載のパーツキット。
【請求項４】
前記塊状物が、歯科用成形体を製造するための塊状物であることを特徴とする前記請求項のいずれか１項に記載のパーツキット。
【請求項５】
前記塊状物が、石膏、注型用樹脂、セメント、メタクリル酸エステル系、ワックス、熱可塑性樹脂、セラミック混合物、縮合架橋又は付加架橋したシリコーン、ポリエーテル、ポリスルフィド、アルギン酸塩又はヒドロコロイド又はこれらの混合物であることを特徴とする前記請求項のいずれか１項に記載のパーツキット。
【請求項６】
前記注型用樹脂が、エポキシ樹脂又はポリウレタン樹脂であることを特徴とする前記請求項のいずれか１項に記載のパーツキット。
【請求項７】
前記セメントが、歯科用ケイ酸塩セメント又はグラスアイオノマーセメントであることを特徴とする前記請求項のいずれか１項に記載のパーツキット。
【請求項８】
前記メタクリル酸エステル系が、フィラーなし又はフィラー入りの系であることを特徴とする前記請求項のいずれか１項に記載のパーツキット。
【請求項９】
前記塊状物が歯科用の充填用コンポジット、又は暫間被覆冠又は暫間架工材料であることを特徴とする前記請求項のいずれか１項に記載のパーツキット。
【請求項１０】
前記金属粉末が、金、銀、白金、パラジウム、銅、スズ、亜鉛、チタン、アルミニウム、マグネシウムを含むことを特徴とする前記請求項のいずれか１項に記載のパーツキット。
【請求項１１】
前記金属合金粉末が、黄銅又は青銅と同様に、金、銀、白金、パラジウム、銅、スズ、亜鉛、チタン、アルミニウム、マグネシウムの合金を含むことを特徴とする前記請求項のいずれか１項に記載のパーツキット。
【請求項１２】
金属効果を有する前記顔料が、被覆した又は被覆無しの雲母の顔料であることを特徴とする前記請求項のいずれか１項に記載のパーツキット。
【請求項１３】
層状構造を有する前記粉末が、層状構造の物質、例えばグラファイト又は硫化モリブデンであることを特徴とする前記請求項のいずれか１項に記載のパーツキット。
【請求項１４】
前記成分ａ）及びｂ）が９９．８：０．２質量％〜６０：４０質量％の比率で存在することを特徴とする前記請求項のいずれか１項に記載のパーツキット。
【請求項１５】
前記成分ａ）及びｂ）が９９：１質量％〜９０：１０質量％の比率で存在することを特徴とする前記請求項のいずれか１項に記載のパーツキット。
【請求項１６】
前記金属粉末、金属合金の前記粉末又は金属効果を有する顔料の前記粉末が、薄層構造を５０質量％より多く、好ましくは７０質量％より多く、特に好ましくは９０質量％より多く有することを特徴とする前記請求項のいずれか１項に記載のパーツキット。
【請求項１７】
前記金属粉末、金属合金の前記粉末又は金属効果を有する顔料の前記粉末の平均粒径が、１００μｍまで、好ましくは２０μｍまで、特に好ましくは５μｍまでであることを特徴とする前記請求項のいずれか１項に記載のパーツキット。
【請求項１８】
前記請求項のいずれか１項に記載のパーツキットを使用して製造可能な成形体。
【請求項１９】
成分ａ）とｂ）及び必要に応じてｃ）とを混合し、その混合物を成形することを特徴とする成形体を製造する方法。
【請求項２０】
前記混合物を１つの型に鋳込んで成形することを特徴とする請求項１９項記載の方法。
【請求項２１】
成形体を製造するための、前記請求項１〜１７のいずれか１項に記載のパーツキットの使用。
【請求項２２】
形態学的及び幾何学的にＣＡＤ／ＣＡＭの応用に適した方法で光学的に記録可能な成形体を製造するための、前記請求項１〜１７のいずれか１項に記載のパーツキットの使用。
【請求項２３】
歯科の範囲で成形体を製造するための、前記請求項１〜１７のいずれか１項に記載のパーツキットの使用。
【国際調査報告】
2004505674.tif 000019
2004505674.tif 000020
2004505674.tif 000021
2004505674.tif 000022